(57)【特許請求の範囲】
【請求項１】
複数の測定用電圧のうちから測定対象体に印加する測定用電圧を選択するための電圧選択スイッチと、
測定スイッチと、
前記電圧選択スイッチによって選択されている前記測定用電圧を出力する電圧生成部と、
前記測定用電圧、および当該測定用電圧の印加時に前記測定対象体に流れる測定電流に基づいて当該測定対象体の抵抗値を測定する測定部と、
抵抗目盛が表記された目盛板、および当該目盛板上で移動させられる指針を有して、前記測定部によって測定された前記抵抗値を前記抵抗目盛上において前記指針で指し示すメータ部と、
前記測定スイッチの操作期間中に前記電圧生成部に対して前記測定用電圧を出力させる電圧出力処理、および前記測定部によって測定された前記抵抗値を前記メータ部の前記抵抗目盛上において前記指針で指し示させる抵抗値指示処理を実行する処理部とを備えている抵抗計であって、
前記目盛板における前記抵抗目盛の表記領域から外れた位置に注意喚起マークが表記され、
前記処理部は、前記電圧選択スイッチによって前記複数の測定用電圧のうちの最高測定用電圧が選択されている状態において前記測定スイッチが操作されたときに、前記電圧生成部に対して前記最高測定用電圧を出力させる前記電圧出力処理の実行に先立ち、前記メータ部に対して予め規定された時間だけ前記注意喚起マークを前記指針で指し示させる注意喚起処理を実行し、当該注意喚起処理の終了後に、当該電圧出力処理および前記抵抗値指示処理を実行する抵抗計。
【請求項２】
前記注意喚起マークは、前記抵抗目盛における下限端側の前記外れた位置に表記されている請求項１記載の抵抗計。
【請求項３】
前記処理部は、前記電圧選択スイッチによって前記最高測定用電圧が選択されている状態での前記注意喚起処理の実行時、および前記電圧選択スイッチによって前記最高測定用電圧の次に高い測定用電圧が選択されている状態での前記注意喚起処理の実行時に、共通の前記注意喚起マークを前記指針で指し示させる請求項１または２記載の抵抗計。
【請求項４】
前記注意喚起マークは、前記指針の移動方向に沿って並設された第１注意喚起マークと第２注意喚起マークとで構成され、
前記処理部は、前記電圧選択スイッチによって前記最高測定用電圧が選択されている状態での前記注意喚起処理の実行時には、前記第１注意喚起マークを前記指針で指し示させ、前記電圧選択スイッチによって前記最高測定用電圧の次に高い測定用電圧が選択されている状態での前記注意喚起処理の実行時には、前記第２注意喚起マークを前記指針で指し示させる請求項１または２記載の抵抗計。
【請求項５】
前記処理部は、前記注意喚起処理の終了後における前記電圧出力処理についての実行の完了後の予め規定された時間内に、前記電圧選択スイッチに対する操作が行われることなく、前記測定スイッチの操作が再度開始されたときには、前記注意喚起処理を実行することなく、新たな前記電圧出力処理を実行する請求項１から４のいずれかに記載の抵抗計。
【発明の詳細な説明】
【技術分野】
【０００１】
本発明は、指針、および指針で指し示される抵抗目盛が表面に表記された目盛板を有するメータ部を備えた抵抗計に関するものである。
【背景技術】
【０００２】
この種の抵抗計として、下記の非特許文献１に開示された種々の抵抗計（絶縁抵抗計）が知られている。これらの抵抗計のうちの第４頁に記載されている抵抗計（型名：２４０６８４）は、アナログ絶縁抵抗計であって、メータ部、ロータリースイッチで構成された電圧選択スイッチ、測定スイッチおよびセットキーがパネル面に配設されている。
【０００３】
この抵抗計では、電圧選択スイッチを操作することにより、測定対象体の絶縁抵抗を測定する際に印加する測定用電圧を、複数の測定用電圧（例えば、ＤＣ１２５Ｖ，ＤＣ２５０Ｖ，ＤＣ１０００Ｖ）のうちから選択可能となっている。この測定用電圧のうちの最も高い測定用電圧（ＤＣ１０００Ｖ。以下、この電圧を「最高測定用電圧」ともいう）は、高耐圧の測定対象体（言い換えれば、絶縁抵抗値の高い測定対象体）に印加されるべき測定用電圧である。このため、誤操作により、低耐圧の測定対象体（絶縁抵抗値の低い測定対象体）に誤って最高測定用電圧を印加したときには、この測定対象体を破損させる虞がある。
【０００４】
この抵抗計では、この誤操作を回避すべく、最高測定用電圧については、他の測定用電圧とは異なり、電圧選択スイッチでＤＣ１０００Ｖを選択した状態で測定スイッチを押しただけでは出力されずに、電圧選択スイッチでＤＣ１０００Ｖを選択し、かつセットキーを押して保護機能を解除した後でなければ、測定スイッチを押したとしても電圧が出力されないように構成されている。
【先行技術文献】
【非特許文献】
【０００５】
【非特許文献１】横河電機株式会社ホームページ／絶縁抵抗計、［平成２３年４月１５日検索］インターネット＜https://www.yokogawa.co.jp/ftp/dist/ks/catalog/ja/BUMY_06.pdf＞
【発明の概要】
【発明が解決しようとする課題】
【０００６】
ところが、上記の絶縁抵抗計には、以下のような解決すべき課題が存在している。すなわち、この絶縁抵抗計では、電圧選択スイッチおよび測定スイッチの他に、セットキーをパネル面に配設する必要がある。したがって、この絶縁抵抗計には、同じ大きさのパネル面（つまり、同じ大きさの筐体）にするためには、セットキーの設置スペース分だけ、他の部品（電圧選択スイッチおよび測定スイッチなど）のための設置スペースが減少することから、この他の部品のうちの少なくとも１つをより小型のものに変更せざるを得ないため、操作性の低下を招く虞があるという解決すべき課題が存在している。
【０００７】
本発明は、かかる課題を解決すべくなされたものであり、セットキーを設けることなく、誤操作による最高測定用電圧の出力を回避し得る抵抗計を提供することを主目的とする。
【課題を解決するための手段】
【０００８】
上記目的を達成すべく請求項１記載の抵抗計は、複数の測定用電圧のうちから測定対象体に印加する測定用電圧を選択するための電圧選択スイッチと、測定スイッチと、前記電圧選択スイッチによって選択されている前記測定用電圧を出力する電圧生成部と、前記測定用電圧、および当該測定用電圧の印加時に前記測定対象体に流れる測定電流に基づいて当該測定対象体の抵抗値を測定する測定部と、抵抗目盛が表記された目盛板、および当該目盛板上で移動させられる指針を有して、前記測定部によって測定された前記抵抗値を前記抵抗目盛上において前記指針で指し示すメータ部と、前記測定スイッチの操作期間中に前記電圧生成部に対して前記測定用電圧を出力させる電圧出力処理、および前記測定部によって測定された前記抵抗値を前記メータ部の前記抵抗目盛上において前記指針で指し示させる抵抗値指示処理を実行する処理部とを備えている抵抗計であって、前記目盛板における前記抵抗目盛の表記領域から外れた位置に注意喚起マークが表記され、前記処理部は、前記電圧選択スイッチによって前記複数の測定用電圧のうちの最高測定用電圧が選択されている状態において前記測定スイッチが操作されたときに、前記電圧生成部に対して前記最高測定用電圧を出力させる前記電圧出力処理の実行に先立ち、前記メータ部に対して予め規定された時間だけ前記注意喚起マークを前記指針で指し示させる注意喚起処理を実行し、当該注意喚起処理の終了後に、当該電圧出力処理および前記抵抗値指示処理を実行する。
【０００９】
また、請求項２記載の抵抗計は、請求項１記載の抵抗計において、前記注意喚起マークは、前記抵抗目盛における下限端側の前記外れた位置に表記されている。
【００１０】
また、請求項３記載の抵抗計は、請求項１または２記載の抵抗計において、前記処理部は、前記電圧選択スイッチによって前記最高測定用電圧が選択されている状態での前記注意喚起処理の実行時、および前記電圧選択スイッチによって前記最高測定用電圧の次に高い測定用電圧が選択されている状態での前記注意喚起処理の実行時に、共通の前記注意喚起マークを前記指針で指し示させる。
【００１１】
また、請求項４記載の抵抗計は、請求項１または２記載の抵抗計において、前記注意喚
起マークは、前記指針の移動方向に沿って並設された第１注意喚起マークと第２注意喚起マークとで構成され、前記処理部は、前記電圧選択スイッチによって前記最高測定用電圧が選択されている状態での前記注意喚起処理の実行時には、前記第１注意喚起マークを前記指針で指し示させ、前記電圧選択スイッチによって前記最高測定用電圧の次に高い測定用電圧が選択されている状態での前記注意喚起処理の実行時には、前記第２注意喚起マークを前記指針で指し示させる。
【００１２】
また、請求項５記載の抵抗計は、請求項１から３のいずれかに記載の抵抗計において、前記処理部は、前記注意喚起処理の終了後における前記電圧出力処理についての実行の完了後の予め規定された時間内に、前記電圧選択スイッチに対する操作が行われることなく、前記測定スイッチの操作が再度開始されたときには、前記注意喚起処理を実行することなく、新たな前記電圧出力処理を実行する。
【発明の効果】
【００１３】
請求項１記載の抵抗計によれば、電圧選択スイッチによって最高測定用電圧が選択されている状態において測定スイッチが操作されたときに、最高測定用電圧の測定対象体への出力に先立ち、指針が抵抗目盛表記の領域から外れた位置に移動することと、この外れた位置に表記されている注意喚起マークを指し示すという一般的な抵抗計では通常採用されていない動作を実行することで、作業者に対して最高測定用電圧を測定用電圧とした抵抗の測定であることを十分に認識させることができることから、セットキーを設けることなく、誤操作による最高測定用電圧の出力を確実に回避することができる。
【００１４】
また、請求項２記載の抵抗計によれば、注意喚起処理において、指針が、その初期位置（抵抗目盛の∞を指し示す位置）から最も離れた位置である抵抗目盛における下限端（０Ω）側の外れた位置に表記された注意喚起マークまで長い距離に亘って移動させられるため、作業者に対して一層効果的に注意を喚起することができる。
【００１５】
また、請求項３または４記載の抵抗計によれば、最高測定用電圧の測定対象体への出力に先立ち、作業者に対して高電圧の測定用電圧（最高測定用電圧または次に高い測定用電圧）を測定用電圧とした抵抗の測定であることを十分に認識させることができる結果、誤操作による高電圧の測定用電圧の出力を確実に回避することができる。さらに、請求項４記載の抵抗計によれば、異なる高電圧の測定用電圧のいずれが出力されるのかを確実に認識させることができる。
【００１６】
また、請求項５記載の抵抗計によれば、測定用電圧として最高測定用電圧が出力されることを作業者が十分に認識しているときのような注意喚起処理の実行が不要な場合には、注意喚起処理を実行することなく、新たな電圧出力処理を開始することができるため、最高測定用電圧を測定用電圧とした測定対象体についての抵抗値の測定を連続して実施する際における作業時間を大幅に短縮することができる。
【図面の簡単な説明】
【００１７】
【図１】絶縁抵抗計１の構成図である。
【図２】絶縁抵抗計１における筐体２の構成を説明するための正面図である。
【図３】抵抗目盛２３の下限端側の外れた位置に配設された注意喚起マーク２４を指針２２が指し示しているときのメータ部３の正面図である。
【図４】指針２２が測定対象体１３の絶縁抵抗を指し示しているときのメータ部３の正面図である。
【図５】絶縁抵抗計１の動作を説明するためのフローチャートである。
【図６】抵抗目盛２３の上限端側の外れた位置に配設された注意喚起マーク２４を指針２２が指し示しているときのメータ部３の正面図である。
【図７】抵抗目盛２３の下限端側の外れた位置に配設された最高測定用電圧（１０００Ｖ）用およびその次に高い測定用電圧（５００Ｖ）用の共通の注意喚起マーク２４を指針２２が指し示しているときのメータ部３の正面図である。
【図８】抵抗目盛２３の下限端側の外れた位置に配設された注意喚起マーク２４，２５のうちの注意喚起マーク２５を指針２２が指し示しているときのメータ部３の正面図である。
【発明を実施するための形態】
【００１８】
以下、抵抗計の実施の形態について、添付図面を参照して説明する。なお、本例では、抵抗計の一例として、絶縁抵抗計１を例に挙げて説明する。
【００１９】
最初に、絶縁抵抗計１の構成について、図１，２を参照して説明する。
【００２０】
絶縁抵抗計１は、一例として、筐体２、メータ部３、テストリード４（以下、「接地側テストリード４」ともいう）、テストリード５（以下、「電線側テストリード５」ともいう）、電圧選択スイッチ６、測定スイッチ７、電圧生成部８、測定部９、基準電源部１０、切換スイッチ１１および処理部１２を備え、測定対象体１３の抵抗値（絶縁抵抗の抵抗値）を測定可能に構成されている。
【００２１】
図２に示すように、筐体２は、合成樹脂材料を用いて箱体に形成されている。また、筐体２は、その正面２ａがパネル面（操作面）に形成されて、メータ部３、電圧選択スイッチ６および測定スイッチ７が、正面２ａに配設されている。
【００２２】
この絶縁抵抗計１は小型化が図られているため、同図に示すように、正面２ａは、メータ部３、電圧選択スイッチ６、測定スイッチ７、および電圧選択スイッチ６の周辺に表記された測定用電圧の電圧値などを示す文字によって、殆どの領域が占められている。また、筐体２は、その上面（同図中の上側面）に接地側テストリード４および電線側テストリード５が接続されるコネクタ１４，１５が配設されている。
【００２３】
メータ部３は、図２に示すように、１つの目盛板２１、１本の指針２２および駆動回路（不図示）を備えている。目盛板２１の表面には、円弧状の抵抗目盛２３が表記されている。なお、このメータ部３は、指針２２が不図示の支点を中心として振れ動く構成（回動する構成）を採用しているため、この指針２２の移動軌跡に対応させて抵抗目盛２３を円弧状に形成しているが、メータ部３として、指針が直線的に移動する構成のメータを採用することもできる。この構成のメータでは、図示はしないが、抵抗目盛は、指針の直線的な移動軌跡に対応させて直線状に表記される。
【００２４】
また、メータ部３では、図２に示すように、目盛板２１における抵抗目盛２３の表記領域から外れた位置に、注意喚起マーク２４が表記されている。この場合、抵抗目盛２３の表記領域とは、上記した初期位置（抵抗目盛２３の∞を指し示す位置）に位置する状態の指針２２（実線で表記されている指針）と、抵抗目盛２３の０を指し示す位置に位置する状態の指針２２（一点鎖線で表記されている指針）とで挟まれる扇状の領域をいうものとする。
【００２５】
本例では、注意喚起マーク２４は、図２に示すように、一例として帯状に形成されて、抵抗目盛２３の下限端（０Ω）側における抵抗目盛２３の表記領域から外れた位置に表記されている。また、本例では、抵抗目盛２３の仮想延長線上（仮想の延長円弧上）に位置するように、注意喚起マーク２４を配置しているが、これに限定されるものではない。例えば、同図に示す位置よりも上側（上記した仮想延長線の上側）に配置することもできるし、同図に示す位置よりも下側（上記した仮想延長線の下側）に配置することもできる。また、本例では一例として、目盛板２１には、この注意喚起マーク２４と共に、その近傍に、後述する最高測定用電圧を示す「１０００Ｖ」の文字が表記されている。
【００２６】
駆動回路は、測定部９から出力される制御信号（一例として制御電流）Ｓ１の電流値、または基準電源部１０から出力される制御信号（一例として制御電流）Ｓ２の電流値に応じた角度だけ指針２２を目盛板２１の表面上で移動させる（本例では、回動させる）。本例では一例として、駆動回路は、図２において実線で示される指針２２の位置を指針２２の初期位置（抵抗目盛２３の∞を示す位置）として、同図において破線や一点鎖線で示すように、各制御信号Ｓ１，Ｓ２の電流値に応じた振れ角θだけ指針２２を左方向（反時計方向）に移動させると共に、制御信号Ｓ１，Ｓ２が入力されている間、移動させた位置に維持させる。
【００２７】
電圧選択スイッチ６は、一例としてロータリースイッチで構成されて、図２に示すように、筐体２の正面２ａにおける電圧選択スイッチ６の周囲に表記された「ＯＦＦ」および各電圧を示す文字（本例では一例として、「１２５Ｖ」，「２５０Ｖ」および「１０００Ｖ」の各文字）を指し示すスイッチ位置に設定可能に構成されている。本例では、電圧選択スイッチ６は、「ＯＦＦ」を指し示すスイッチ位置に設定されたときには、絶縁抵抗計１の各構成要素に対する不図示の電源（例えば、電池）からの作動用電圧の供給を停止させる。一方、電圧選択スイッチ６は、各電圧を示す文字を指し示すスイッチ位置に設定されたときには、電源から各構成要素への作動用電圧の供給を開始させると共に、設定されたスイッチ位置を示す選択信号Ｓ３を生成して処理部１２に出力する。
【００２８】
測定スイッチ７は、一例としてプッシュスイッチで構成されて、測定スイッチ７に対する操作（例えば押下）の開始に合わせて制御信号Ｓ４の出力を開始すると共に、操作の停止に合わせて制御信号Ｓ４の出力を停止する。この構成により、測定スイッチ７は、操作されているときにのみ、制御信号Ｓ４を出力する。
【００２９】
電圧生成部８は、一例として、複数の直流電圧（本例では、１２５Ｖ，２５０Ｖ，１０００Ｖ（本例での最高測定用電圧））のうちの任意の１つの直流電圧を発生させる直流電源で構成されている。また、電圧生成部８は、コネクタ１４に接続されて、発生させている直流電圧をコネクタ１４を経由して接地側テストリード４に測定用電圧Ｖ１として出力する。また、電圧生成部８は、処理部１２から出力される制御信号Ｓ５により、上記した直流電圧のいずれか１つを選択して測定用電圧Ｖ１として出力する出力状態、または測定用電圧Ｖ１の出力を停止する停止状態に制御される。また、電圧生成部８は、測定用電圧Ｖ１の出力状態のときには、出力している測定用電圧Ｖ１の電圧値に比例した電圧値の電圧信号Ｓｖを生成して測定部９に出力する。
【００３０】
測定部９は、コネクタ１５を介して電線側テストリード５に接続されて、測定用電圧Ｖ１の印加に起因して、電圧生成部８、コネクタ１４、接地側テストリード４、測定対象体１３、電線側テストリード５およびコネクタ１５を経由して測定部９に至る電流経路に流れる測定電流Ｉ１を入力して、その電流値を測定する。また、測定部９は、電圧生成部８から電圧信号Ｓｖを入力すると共に、この電圧信号Ｓｖに基づいて測定用電圧Ｖ１の電圧値を測定する。また、測定部９は、測定した測定電流Ｉ１の電流値および測定用電圧Ｖ１の電圧値に基づいて、測定対象体１３の抵抗値に反比例した電流値の制御信号Ｓ１を生成して出力する（つまり、測定対象体１３の抵抗値を測定する）。
【００３１】
基準電源部１０は、一例として定電流源で構成されて、予め規定された電流値の制御信号Ｓ２を生成して出力する。この場合、制御信号Ｓ２の電流値は、メータ部３の指針２２を注意喚起マーク２４の位置まで移動させる電流値に規定されている。切換スイッチ１１は、測定部９から出力される制御信号Ｓ１および基準電源部１０から出力される制御信号Ｓ２を入力すると共に、処理部１２から出力される制御信号Ｓ６によって切換状態が制御されて、制御信号Ｓ１，Ｓ２のうちの制御信号Ｓ６によって指定された一方をメータ部３に出力する。
【００３２】
処理部１２は、一例として、ＣＰＵおよびメモリ（いずれも図示せず）で構成されて、電圧選択スイッチ６から出力される選択信号Ｓ３および測定スイッチ７から出力される制御信号Ｓ４に基づいて、測定スイッチ７の操作期間中に電圧生成部８に対して測定用電圧Ｖ１を出力させる電圧出力処理、切換スイッチ１１に対する制御を行って測定対象体１３の抵抗値をメータ部３の抵抗目盛２３上において指針２２で指し示させる抵抗値指示処理、および切換スイッチ１１に対する制御を行ってメータ部３の注意喚起マーク２４を指針２２で指し示させる注意喚起処理を含む測定処理５０（図５参照）を実行する。
【００３３】
次に、絶縁抵抗計１による測定対象体１３の両端間の絶縁抵抗についての測定動作について図面を参照して説明する。
【００３４】
まず、接地側テストリード４および電線側テストリード５が測定対象体１３の各端部に接続され、この接続状態において、電圧選択スイッチ６に対する操作が行われて、電圧選択スイッチ６が「ＯＦＦ」を指し示すスイッチ位置から各電圧を示す文字を指し示すスイッチ位置のうちの任意の１つのスイッチ位置に設定される。一例として、この測定対象体１３は、測定用電圧Ｖ１として１０００Ｖを印加して、その絶縁抵抗を測定すべき対象物であるため、電圧選択スイッチ６は、「１０００Ｖ」の文字を指し示すスイッチ位置に設定される。絶縁抵抗計１では、この電圧選択スイッチ６が「ＯＦＦ」を指し示すスイッチ位置以外のスイッチ位置に設定されたことにより、電池から絶縁抵抗計１内の各構成要素への作動用電圧の供給が開始される。また、電圧選択スイッチ６は、設定されたスイッチ位置を示す選択信号Ｓ３の処理部１２への出力を開始する。
【００３５】
電圧生成部８は、作動用電圧の供給の停止状態から作動用電圧が開始されることにより、測定用電圧Ｖ１の出力を停止する初期状態に移行する。また、測定部９は、作動用電圧の供給が開始されることにより、作動状態に移行して、測定電流Ｉ１の電流値および測定用電圧Ｖ１の電圧値の測定を開始すると共に、この電流値および電圧値に基づく制御信号Ｓ１の生成を開始する（測定対象体１３についての絶縁抵抗の測定を開始する）。
【００３６】
この場合、絶縁抵抗計１では、電圧生成部８が初期状態にあるため、測定用電圧Ｖ１が測定対象体１３に印加されず、これにより、測定電流Ｉ１も生じていない。このため、測定部９は、測定対象体１３の抵抗値が無限大であることを示す電流値（ほぼゼロ）の制御信号Ｓ１を生成して出力する。
【００３７】
また、基準電源部１０は、作動用電圧の供給が開始されることにより、予め規定された電流値の制御信号Ｓ２を生成して出力する動作を開始する。また、処理部１２は、作動用電圧の供給が開始されることにより、まず、切換スイッチ１１に対して制御信号Ｓ６を出力して、メータ部３と測定部９とを接続する状態に切換スイッチ１１を移行させる処理（抵抗値指示処理）を実行する。
【００３８】
これにより、測定部９から切換スイッチ１１を介してメータ部３に、電流値がほぼゼロの制御信号Ｓ１が出力されるため、メータ部３では、駆動回路がこの制御信号Ｓ１に基づいて作動して、図２において実線で表記される初期位置（抵抗目盛２３の∞を指し示す位置）に指針２２を移動させる。
【００３９】
次いで、処理部１２は、図５に示す測定処理５０を開始する。この測定処理５０では、処理部１２は、まず、電圧選択スイッチ６から出力されている選択信号Ｓ３を入力して記憶する（ステップ５１）。次いで、処理部１２は、測定スイッチ７からの制御信号Ｓ４の出力の有無を検出することにより、測定スイッチ７に対する操作が開始されたか否かを検出する（ステップ５２）。
【００４０】
この状態において、測定スイッチ７に対する操作が開始されたときには、測定スイッチ７は制御信号Ｓ４の処理部１２への出力を開始するため、処理部１２は、この制御信号Ｓ４の出力を検出して、記憶している選択信号Ｓ３で示されるスイッチ位置が最高測定用電圧（本例では１０００Ｖ）を示すスイッチ位置であるか否か（電圧選択スイッチ６が最高測定用電圧に設定されているか否か）を判別する（ステップ５３）。
【００４１】
上記したように、電圧選択スイッチ６は１０００Ｖに設定されているため、処理部１２は、選択信号Ｓ３で示されるスイッチ位置が最高測定用電圧（本例では１０００Ｖ）を示すスイッチ位置であると判別して、予め規定された時間長（例えば数秒（本例では一例として３秒））の注意喚起期間の計測を開始する（ステップ５４）と共に、メータ部３の指針２２を注意喚起マーク２４の位置まで指針２２を移動させる注意喚起処理を実行する（ステップ５５）。
【００４２】
この注意喚起処理では、処理部１２は、具体的には、切換スイッチ１１に対して制御信号Ｓ６を出力することにより、メータ部３と基準電源部１０とを接続する状態に移行させる制御を実行する。これにより、基準電源部１０から切換スイッチ１１を介してメータ部３に、メータ部３の指針２２を注意喚起マーク２４の位置まで移動させる電流値に規定されている制御信号Ｓ２が出力される。このため、メータ部３では、駆動回路がこの制御信号Ｓ２に基づいて作動して、図３に示すように、注意喚起マーク２４の位置まで指針２２を移動させる。
【００４３】
つまり、この絶縁抵抗計１では、このように電圧選択スイッチ６が最高測定用電圧（本例では１０００Ｖ）に設定されている状態において、測定スイッチ７に対する操作が開始されたときに、測定用電圧Ｖ１として最高測定用電圧を測定対象体１３に出力する前に（最高測定用電圧の測定対象体１３への印加に先立ち）、指針２２が注意喚起マーク２４へ移動させられて、注意喚起マーク２４を指し示す。したがって、この絶縁抵抗計１では、注意喚起マーク２４が指針２２によって指し示されることにより、作業者に対して、最高測定用電圧が測定用電圧Ｖ１として測定対象体１３に出力される旨の注意が喚起される。また、この絶縁抵抗計１では、注意喚起マーク２４と共に１０００Ｖの文字が表記されているため、最高測定用電圧として１０００Ｖが出力されることが示される。
【００４４】
また、処理部１２は、指針２２が注意喚起マーク２４を指し示している状態（注意喚起処理の実行状態）において、注意喚起期間の計測開始からの時間が予め規定された時間長に達したか否か（注意喚起期間が終了したか否か）を検出しつつ（ステップ５６）、測定スイッチ７に対する操作が停止したか否か（測定スイッチ７からの制御信号Ｓ４の出力が停止したか否か）を検出する（ステップ５７）。
【００４５】
この注意喚起処理の実行状態において、測定スイッチ７に対する操作が停止されたとき（測定スイッチ７から処理部１２への制御信号Ｓ４の出力が停止したとき）には、処理部１２は、電圧生成部８に対して測定用電圧Ｖ１の出力を開始させる電圧出力処理を実行することなく（電圧生成部８を出力状態に移行させることなく）、メータ部３と測定部９とを接続する状態に移行させる制御信号Ｓ６を切換スイッチ１１に対して出力することにより、注意喚起処理を停止させて（ステップ５８）、測定処理５０を終了させる。
【００４６】
切換スイッチ１１によってメータ部３と測定部９とが接続され、かつ測定対象体１３に測定用電圧Ｖ１が印加されていない状態では、上記したように、測定部９から切換スイッチ１１を介してメータ部３に、電流値がほぼゼロの制御信号Ｓ１が出力される。このため、メータ部３では、指針２２が図２において実線で示される初期位置に駆動回路によって移動させられる。つまり、絶縁抵抗計１は初期の状態に移行する。
【００４７】
一方、注意喚起処理の実行状態において、測定スイッチ７に対する操作が停止されない状態（測定スイッチ７から処理部１２への制御信号Ｓ４の出力が継続している状態）で、注意喚起期間の計測開始からの時間が予め規定された時間長に達したとき（注意喚起期間が終了したとき）には、処理部１２は、メータ部３と測定部９とを接続する状態に移行させる制御信号Ｓ６を切換スイッチ１１に対して出力することで、メータ部３に対して抵抗値を表示させる（抵抗値を指針２２で指し示させる）抵抗値指示処理を実行する。また、処理部１２は、電圧出力処理を実行することにより、最高測定用電圧である１０００Ｖを測定用電圧Ｖ１として出力させる制御信号Ｓ５を電圧生成部８に対して出力する（ステップ５９）。
【００４８】
これにより、電圧生成部８が出力状態に移行し、電圧生成部８から測定対象体１３に対する測定用電圧Ｖ１（１０００Ｖ）の印加が開始されて、この測定用電圧Ｖ１の印加によって測定対象体１３に測定電流Ｉ１が流れる。また、電圧生成部８から測定部９に対して出力される電圧信号Ｓｖの電圧値は、測定用電圧Ｖ１の電圧値に比例した電圧値となる。測定部９は、この測定電流Ｉ１を入力して、その電流値を測定すると共に、この電圧信号Ｓｖを入力して、測定用電圧Ｖ１の電圧値を測定する。また、測定部９は、測定した測定電流Ｉ１の電流値および測定用電圧Ｖ１の電圧値に基づいて、測定対象体１３の抵抗値に反比例した電流値の制御信号Ｓ１を生成して出力する。
【００４９】
また、測定部９から出力されるこの制御信号Ｓ１は切換スイッチ１１を介してメータ部３に出力される。このため、メータ部３では、図４に示すように、指針２２が測定対象体１３の抵抗値を示す位置まで駆動回路によって移動させられる。これにより、絶縁抵抗計１では、測定対象体１３の抵抗値（絶縁抵抗の抵抗値）についての表示が開始される（抵抗値の測定が開始される）。
【００５０】
処理部１２は、測定スイッチ７に対する操作が停止したか否か（測定スイッチ７からの制御信号Ｓ４の出力が停止したか否か）を検出しつつ（ステップ６０）、切換スイッチ１１に対する上記の制御信号Ｓ６の出力を継続することで、抵抗値指示処理（抵抗値の表示）の実行状態を維持する。
【００５１】
この状態において、測定スイッチ７に対する操作が停止されたとき（測定スイッチ７から処理部１２への制御信号Ｓ４の出力が停止したとき）には、処理部１２は、測定用電圧Ｖ１の出力を停止させる制御信号Ｓ５を電圧生成部８に対して出力して、電圧出力処理を終了させる（ステップ６１）。これにより、電圧生成部８による測定対象体１３への測定用電圧Ｖ１の印加が停止させられる。
【００５２】
また、処理部１２は、電圧出力処理の終了（測定対象体１３への測定用電圧Ｖ１の印加の停止）に合わせて、予め規定された時間長（例えば数分（本例では一例として５分））の待ち期間の計測を開始する（ステップ６２）。また、処理部１２は、待ち期間の計測の開始からの時間がこの予め規定された時間長に達したか否か（待ち期間が終了したか否か）を検出しつつ（ステップ６３）、測定スイッチ７からの制御信号Ｓ４の出力の有無を検出することにより、測定スイッチ７に対する操作が開始されたか否かを検出する（ステップ６４）。また、処理部１２は、このステップ６４において、電圧選択スイッチ６からの選択信号Ｓ３を検出しつつ、電圧選択スイッチ６に対する操作が行われたか否かについても検出する。
【００５３】
この状態において、処理部１２は、測定スイッチ７に対する操作の開始を検出する前に、待ち期間が終了したことを検出したときには、測定処理５０を終了させる。また、処理部１２は、電圧選択スイッチ６に対する操作が行われたことを検出したときにも、測定処理５０を終了させる。
【００５４】
一方、処理部１２は、待ち期間の終了前に、ステップ６４において測定スイッチ７に対する操作の開始を検出したときには、ステップ５９に移行して、抵抗値指示処理および電圧値出力処理を再度実行することにより、メータ部３に対して抵抗値の表示を開始させると共に、電圧生成部８に対して最高測定用電圧である１０００Ｖを測定用電圧Ｖ１として出力させる。これにより、最高測定用電圧である１０００Ｖを測定用電圧Ｖ１とした状態での測定対象体１３についての新たな抵抗値の測定が開始される。
【００５５】
この新たな抵抗値の測定の開始に際しては、予め規定された上記の時間長の待ち期間内（直前の抵抗値の測定から比較的短時間内）での測定スイッチ７に対する操作開始に対応したものであることから、作業者は最高測定用電圧である１０００Ｖを測定用電圧Ｖ１とした抵抗値の測定であることを十分に認識していると考えられる。このため、絶縁抵抗計１では、再度の注意喚起処理の実行を省略することにより、新たな抵抗値の測定の開始までの時間が短縮されている。
【００５６】
これにより、絶縁抵抗計１では、最高測定用電圧である１０００Ｖを測定用電圧Ｖ１とした絶縁抵抗の測定を、同じ測定対象体１３に対して繰り返し実行したり、また異なる測定対象体１３に対して連続して実行したりする場合において、最初の絶縁抵抗の際には、注意喚起処理を実行して、作業者に対して、最高測定用電圧が測定用電圧Ｖ１として測定対象体１３に出力される旨の注意を喚起すると共に、その後の一連の絶縁抵抗の測定においては、注意喚起処理を省略することで、絶縁抵抗の測定に要する時間が大幅に短縮されている。
【００５７】
なお、この絶縁抵抗計１では、電圧選択スイッチ６が、最高測定用電圧以外の測定用電圧（本例では、１２５Ｖまたは２５０Ｖ）を指し示すスイッチ位置に設定されている状態で、処理部１２が上記の測定処理５０を開始したときには、ステップ５３において、選択信号Ｓ３で示されるスイッチ位置が最高測定用電圧を示すスイッチ位置ではないと判別して、注意喚起期間の計測および注意喚起処理を実行することなく、ステップ５９に移行する。
【００５８】
この場合、処理部１２は、ステップ５９において、メータ部３と測定部９とを接続する状態に移行させる制御信号Ｓ６を切換スイッチ１１に対して出力することで、メータ部３に対して絶縁抵抗表示を開始させる抵抗値指示処理を実行すると共に、電圧選択スイッチ６によって選択された測定用電圧を測定用電圧Ｖ１として出力させる制御信号Ｓ５を電圧生成部８に対して出力する電圧出力処理を実行する。
【００５９】
これにより、絶縁抵抗計１では、電圧生成部８が出力状態に移行して、測定対象体１３に対する測定用電圧Ｖ１（１２５Ｖまたは２５０Ｖ）の印加を開始し、測定部９が、測定した測定電流Ｉ１の電流値および測定用電圧Ｖ１の電圧値に基づいて、測定対象体１３の抵抗値に反比例した電流値の制御信号Ｓ１の生成を開始し、メータ部３では、指針２２が測定対象体１３の抵抗値を示す位置まで駆動回路によって移動させられる。これにより、絶縁抵抗計１では、測定対象体１３についての抵抗値の表示（測定）が開始される
【００６０】
このように、この絶縁抵抗計１では、目盛板２１における抵抗目盛２３の表記領域から外れた位置に注意喚起マーク２４が表記され、電圧選択スイッチ６によって複数の測定用電圧（１２５Ｖ，２５０Ｖ，１０００Ｖ）のうちの最高測定用電圧（１０００Ｖ）が選択されている状態において測定スイッチ７の操作が開始されたときに、処理部１２が、電圧出力処理（電圧生成部８による最高測定用電圧の出力）および抵抗値指示処理（メータ部３での指針２２による測定対象体１３についての抵抗値の指示）の実行に先立ち、メータ部３に対して予め規定された時間（注意喚起期間）だけ注意喚起マーク２４を指針２２で指し示させる注意喚起処理を実行し、この注意喚起処理の終了後に電圧出力処理および抵抗値指示処理を実行する。
【００６１】
したがって、この絶縁抵抗計１によれば、指針２２が抵抗目盛２３の表記領域から外れた位置に移動することと、この外れた位置に表記されている注意喚起マーク２４を指し示すという一般的な絶縁抵抗計では通常採用されていない動作を、最高測定用電圧の測定対象体１３への出力に先立って実行することで、作業者に対して最高測定用電圧を測定用電圧Ｖ１とした絶縁抵抗の測定であることを十分に認識させることができることから、セットキーを設けることなく、誤操作による最高測定用電圧の出力を確実に回避することができる。
【００６２】
また、この絶縁抵抗計１では、注意喚起マーク２４は、抵抗目盛２３における下限端（０Ω）側の外れた位置に表記されている。したがって、この絶縁抵抗計１によれば、注意喚起処理において、指針２２が、その初期位置（抵抗目盛２３の∞を指し示す位置）から最も離れた位置である抵抗目盛２３における下限端（０Ω）側の外れた位置に表記された注意喚起マーク２４まで長い距離に亘って移動させられるため、作業者に対して一層効果的に注意を喚起することができる。
【００６３】
また、この絶縁抵抗計１では、注意喚起処理の終了後における電圧出力処理についての実行の完了後の待ち期間内に、電圧選択スイッチ６に対する操作が行われることなく、測定スイッチ７の操作が再度開始されたときには、処理部１２は、注意喚起処理を実行することなく、新たな電圧出力処理を実行する。この場合、直前の電圧出力処理の完了後における待ち期間内（直前の測定対象体１３の抵抗値の測定の完了から比較的短時間内）における測定スイッチ７に対する操作開始は、作業者が測定用電圧Ｖ１として最高測定用電圧が出力されることを十分に認識した上での操作開始であると考えられる。
【００６４】
したがって、この絶縁抵抗計１によれば、このように測定用電圧Ｖ１として最高測定用電圧が出力されることを作業者が十分に認識しているときのような注意喚起処理の実行が不要な場合には、注意喚起処理を実行することなく、新たな電圧出力処理を開始することができるため、最高測定用電圧を測定用電圧Ｖ１とした測定対象体１３についての抵抗値の測定を連続して実施する際における作業時間を大幅に短縮することができる。
【００６５】
なお、最高測定用電圧を測定用電圧Ｖ１とした測定対象体１３についての抵抗値の測定を連続して実施する際における作業時間が長くなるものの、より安全性を高めるため、測定スイッチ７に対する操作開始が行われる度に、処理部１２が常に注意喚起処理を実行する構成を採用することもできる。
【００６６】
また、上記の絶縁抵抗計１では、指針２２の初期位置から最も離れた位置である抵抗目盛２３における下限端側の外れた位置に、注意喚起マーク２４を表記するより好ましい構成を採用しているが、この構成に代えて、図６に示すように、抵抗目盛２３における上限端（∞）側の外れた位置に注意喚起マーク２４を表記する構成を採用することもできる。この構成においては、指針２２の初期位置からの移動方向が上記した絶縁抵抗計１と逆になる。このため、基準電源部１０から出力する制御信号Ｓ２の極性を逆にして、メータ部３に供給するように構成する。
【００６７】
この構成を採用した絶縁抵抗計１でも、指針２２が抵抗目盛２３の表記領域から外れた位置に移動することと、この外れた位置に表記されている注意喚起マーク２４を指し示すという一般的な絶縁抵抗計では通常採用されていない動作を、最高測定用電圧の測定対象体１３への出力に先立って実行するため、作業者に対して最高測定用電圧を測定用電圧Ｖ１とした抵抗値の測定であることを十分に認識させることができる結果、誤操作による最高測定用電圧の出力を確実に回避することができる。
【００６８】
また、絶縁抵抗計によっては、最高測定用電圧である１０００Ｖ以外に、５００Ｖの測定用電圧を測定対象体１３に対して出力（印加）し得る構成を採用しているものがある。この場合、５００Ｖは、最高測定用電圧の次に高い測定電圧であり、測定対象体１３への印加に際しては、１０００Ｖのときと同様にして十分に注意する必要がある。
【００６９】
このため、このような構成の絶縁抵抗計においては、図７に示すように、最高測定用電圧（１０００Ｖ）用およびその次に高い測定用電圧（５００Ｖ）用の注意喚起マークを共通の１つの注意喚起マーク２４としてメータ部３に表記する構成を採用することもできる。この場合、共通となる注意喚起マーク２４には、「１０００Ｖ」の文字および「５００Ｖ」の文字を併記することもできる。この構成においては、電圧選択スイッチ６によって最高測定用電圧（１０００Ｖ）が選択されている状態において、処理部１２が注意喚起処理を実行したとき、および次に高い測定用電圧（この例では５００Ｖ）が選択されている状態において、処理部１２が注意喚起処理を実行したときに、注意喚起マーク２４が指針２２によって指し示される。
【００７０】
この構成によれば、１つの注意喚起マーク２４をメータ部３に表記させるだけでよいため、抵抗目盛２３の表記領域から外れた位置におけるスペースに余裕のないメータ部３を採用する絶縁抵抗計であっても、高電圧の測定用電圧（最高測定用電圧または次に高い測定用電圧）を測定用電圧Ｖ１とした絶縁抵抗の測定であることを十分に認識させることができる結果、誤操作による高電圧の測定用電圧の出力を確実に回避することができる。
【００７１】
また、最高測定用電圧である１０００Ｖ以外に、５００Ｖの測定用電圧を測定対象体１３に対して出力（印加）し得る構成の絶縁抵抗計においては、上記した図７に示す構成に代えて、図８に示すように、１０００Ｖ用の注意喚起マーク２４（第１注意喚起マーク）と共に５００Ｖ用の注意喚起マーク２５（第２注意喚起マーク）を、抵抗目盛２３の表記領域から外れた位置（この例では、一例として、抵抗目盛２３の下限端（０Ω）側における抵抗目盛２３の表記領域から外れた位置）に指針２２の移動方向に沿って並設する（並べて表記する）こともできる。この場合、注意喚起マーク２４には「１０００Ｖ」の文字を併記し、注意喚起マーク２５には「５００Ｖ」の文字を併記することもできる。このような絶縁抵抗計では、電圧選択スイッチ６によって最高測定用電圧（この例では１０００Ｖ）が選択されている状態において、処理部１２が注意喚起処理を実行したときには、注意喚起マーク２４が指針２２によって指し示され、次に高い測定用電圧（この例では５００Ｖ）が選択されている状態において、処理部１２が注意喚起処理を実行したときには、図８に示すように、注意喚起マーク２５が指針２２によって指し示される。
【００７２】
この構成を採用した絶縁抵抗計では、図示はしないが、基準電源部１０は、指針２２を注意喚起マーク２４の位置まで移動させる電流値の制御信号（第１制御信号）と、指針２２を注意喚起マーク２５の位置まで移動させる電流値の制御信号（第２制御信号）とを生成し得る構成とし、処理部１２が、電圧選択スイッチ６から出力される選択信号Ｓ３で示されるスイッチ位置に基づいて、注意喚起処理の際に基準電源部１０を制御して、この２つの制御信号のうちの選択信号Ｓ３で示されるスイッチ位置に対応する制御信号を出力させる。
【００７３】
この構成を採用した絶縁抵抗計によれば、上記した絶縁抵抗計１と同様にして、最高測定用電圧の測定対象体１３への出力に先立ち、作業者に対して高電圧の測定用電圧（最高測定用電圧または次に高い測定用電圧）を測定用電圧Ｖ１とした絶縁抵抗の測定であることを十分に認識させることができる結果、誤操作による高電圧の測定用電圧の出力を確実に回避することができると共に、異なる高電圧の測定用電圧のいずれが出力されるのかを確実に認識させることができる。
【００７４】
また、抵抗計の一例として、絶縁抵抗計１を例に挙げて説明したが、電圧選択スイッチ６で測定用電圧Ｖ１を選択すると共に、測定スイッチ７の操作によって、選択された測定用電圧Ｖ１を測定対象体１３に出力することにより、測定対象体１３の抵抗値を測定する抵抗計である限り、絶縁抵抗計１以外の抵抗計に適用してもよいのは勿論である。
【００７５】
また、上記の絶縁抵抗計１や抵抗計では、メータ部３に抵抗目盛２３のみが表記された抵抗測定専用の構成を採用しているが、接地側テストリード４および電線側テストリード５間に発生する電圧を測定する機能を有する抵抗計に適用することもできる。
【符号の説明】
【００７６】
１  絶縁抵抗計
３  メータ部
６  電圧選択スイッチ
７  測定スイッチ
９  測定部
８  電圧生成部
１０  基準電源部
２１  目盛板
２２  指針
２３  抵抗目盛
２４  注意喚起マーク
【図１】
0005693361.tif 000002
【図２】
0005693361.tif 000003
【図３】
0005693361.tif 000004
【図４】
0005693361.tif 000005
【図５】
0005693361.tif 000006
【図６】
0005693361.tif 000007
【図７】
0005693361.tif 000008
【図８】
0005693361.tif 000009